(57)【要約】【課題】  大鋸屑などの充填材に埋没された海老等を、直接触れることなく大鋸屑の中から取出すことができ、海老等の甲殻類に付着した大鋸屑を簡易な方法により素早く払いのけることができる活き甲殻類用の包装容器を提供する。【解決手段】  容器本体２と、容器本体２に充填される粉体状の充填材３と、充填材３内に埋没され、一対の端辺５ａ、５ａに持ち手部４を有し、活き甲殻類１０を包むように配設される網状物５とを備えることを特徴とする。【選択図】  図１
2007161304.tif 000002
【特許請求の範囲】
【請求項１】
容器本体と、
上記容器本体に充填される粉体状の充填材と、
上記充填材内に埋没され、持ち手部を有し、活き甲殻類を包むように配設される網状物とを備えることを
特徴とする活き甲殻類用包装容器。
【請求項２】
上記網状物は、略矩形状からなり、一方の相対向する一対の端辺に上記持ち手部が設けられ、他方の相対向する一対の端辺同士を係止する係止部が設けられることを特徴とする請求項１記載の活き甲殻類用包装容器。
【請求項３】
容器本体と、上記容器本体に充填される粉体状の充填材と、上記充填材内に埋没され、持ち手部を有する網状物とを備える活き甲殻類用包装容器を用いて活き甲殻類を包装する包装方法において、
上記容器本体に上記充填材を充填する充填工程と、
上記充填工程により充填された上記充填材に、上記網状物を上記持ち手部を除いて埋没させ、上記甲殻類を包むように配設する埋没工程とを備えることを
特徴とする活き甲殻類を包装する包装方法。
【発明の詳細な説明】
【技術分野】
【０００１】
本発明は、海老、蟹などの大気中でもある程度の期間生存することができる甲殻類を、輸送する際に用いられる活き甲殻類用包装容器、及び、その包装方法に関する。
【背景技術】
【０００２】
一般に、海老、蟹などの甲殻類は、殻の下のエラが湿っていれば、水没していなくても数日は生存できる能力があると言われている。
【０００３】
水揚げされた活き海老等は、活きた状態で、かつ、鮮度を保った状態で運搬されるためにその輸送方法に様々な工夫がされている。海老等の鮮度を保つには、輸送に伴う衝撃を緩和させ、海老等の活動を低下させ呼吸量を減らすための安定した低温環境下において輸送する必要がある。この条件を満たすものとして、従来から大鋸屑の中に海老等を埋没させて輸送されていた。大鋸屑は、活きた海老等を輸送する際に、輸送中の衝撃を吸収して海老等を傷つけないとともに、安定した温度及び湿度状態に保つ断熱材としての役目を果たすことができ、木質の有する芳香により海老等から発せられる生臭いにおいを抑えることができるという特徴を有する。
【０００４】
ところで、海老等を大鋸屑に埋没させて包装する場合、確かに、鮮度を保つことができるなどの有益な点もあるが、大鋸屑に埋没された海老等がどのような状態に配列されているかを目視によって確認することができない。この場合、大鋸屑の中の海老等を取出すためには、手探りによって確認するか、大鋸屑を払いのけて確認する方法が取られていた。しかし、前者の方法では、活きた海老等に触れるのが苦手な人にとっては大変苦痛な作業であり、後者の方法では、大鋸屑が散らばり、取扱いが不便という問題が生じていた。また、例え、大鋸屑の中から海老等を取出せたとしても、取出した海老等には大鋸屑が付着しており、それらを払いのける手間もかかり、活きた海老等の突発的な動きによって大鋸屑が散らばるという問題も発生していた。
【０００５】
【特許文献１】実開昭６３−１６５１５５号公報
【発明の開示】
【発明が解決しようとする課題】
【０００６】
そこで、本発明は、上述のような従来の問題点に鑑みてなされたものであり、大鋸屑などの充填材に埋没された活きた海老等を、直接触れることなく大鋸屑の中から取出すことができ、活きた海老等の甲殻類に付着した大鋸屑を簡易な方法により素早く払いのけることができる活き甲殻類用の包装容器、及び、その包装方法を提供することを目的とする。
【課題を解決するための手段】
【０００７】
上述の問題点を解決するために、本発明に係る活き甲殻類用包装容器は、容器本体と、上記容器本体に充填される粉体状の充填材と、上記充填材内に埋没され、持ち手部を有し、活き甲殻類を包むように配設される網状物とを備えることを特徴とする。
【０００８】
また、上記網状物は、略矩形状からなり、一方の相対向する一対の端辺に上記持ち手部が設けられ、他方の相対向する一対の端辺同士を係止する係止部が設けられるようにしてもよい。
【０００９】
また、本発明に係る活き甲殻類を包装する包装方法は、容器本体と、上記容器本体に充填される粉体状の充填材と、上記充填材内に埋没され、持ち手部を有する網状物とを備える活き甲殻類用包装容器を用いて活き甲殻類を包装する包装方法において、上記容器本体に上記充填材を充填する充填工程と、上記充填工程により充填された上記充填材に、上記網状物を上記持ち手部を除いて埋没させ、上記甲殻類を包むように配設する埋没工程とを備えることを特徴とする。
【発明の効果】
【００１０】
本発明は、充填材から臨まされた一対の持ち手部を掴み、網状物を充填材から引き上げることにより、網状物に包まれるように配置された活き甲殻類を充填材から取出すことができる。充填材から取出された活き甲殻類は、網状物を介して保持しており、直接触れることなく充填材から取出せるとともに、活き甲殻類に付着した充填材を振るい落とすことができ、さらに、活き甲殻類の突発的な動きによる充填材の散らばりを防ぐことができる。
【発明を実施するための最良の形態】
【００１１】
以下、本発明に係る活き甲殻類用包装容器について図面を参照して詳細に説明する。
【００１２】
活き甲殻類用の包装容器１は、図１に示すように、容器本体２と、容器本体２に充填される粉体状の充填材３と、充填材３内に埋没され、一対の端辺に持ち手部４を有し、活き甲殻類１０が包まれた網状物５とから構成されている。活き甲殻類用の包装容器１は、図１（Ａ）に示すように、活き甲殻類１０を容器本体２内の充填材３に埋没させ、輸送するものである。また、活き甲殻類用の包装容器１は、充填材３に埋没された網状物５に設けられた持ち手部４を持ち、埋没された活き甲殻類１０を充填材３から引き上げ、充填材３から分離させる。
【００１３】
包装容器１に収納される活き甲殻類１０は、海老、蟹などであり、大気中であってもある程度の期間生存することができ、生きたままで包装され輸送される水中生物である。なお、包装容器１に収納されるものとしては、上述のように、海老、蟹などの活き甲殻類１０に限らず、生きたままで包装され、輸送される生物であればよく、例えば、アワビ、牡蠣などの魚介類であってもよい。
【００１４】
容器本体２は、上部に開閉蓋２ａを有し、ダンボールや発泡スチロールからなる箱状物から形成されている。容器本体２は、内部に収納される活き甲殻類１０を外部応力から保護する強度、及び、所定の密閉性を有する箱状物である。なお、容器本体２は、上述のような箱状物に限らず、内部に充填材３、網状物５、活き甲殻類１０を内包することができる大きさ、形状、及び、材質からなるものであれば、いかなるものであってもよい。
【００１５】
充填材３は、容器本体２の内部に充填される粉状体からなり、断熱性、保水性を有するとともに、外部からの力を吸収する緩衝材としての機能を有する。充填材３は、上述の機能を有し、比較的安価に手に入る、例えば、木材を切削した際に発生する粉状体の木材、すなわち大鋸屑からなる。充填材３は、後述する網状物５の網目を通過することができる大きさの粉状体からなる。なお、充填材３は、上述のように大鋸屑に限らず、断熱性、保水性、及び、緩衝材としての機能を有する粉状体であれば、いかなるものであってもよい。
【００１６】
網状物５は、充填材３は通過させることができるが、活き甲殻類１０は通過させることができない大きさの網目からなる可撓性を有する網で、全体の形状が略矩形であり、容器本体２の底面２ｂよりやや大きい形状からなる。網状物５は、図１（Ｂ）及び図１（Ｃ）に示すように、容器本体２の底面２ｂを覆い、相対向する一対の端辺５ａ、５ａが容器本体２の開閉蓋２ａ近傍に位置し、活き甲殻類１０を包むように、充填材３内に埋没される。網状物５は、活き甲殻類１０の下部に位置し、活き甲殻類１０を包むように充填材３に埋没される。
【００１７】
持ち手部４は、網状物５の一対の端辺５ａ、５ａの略全長に亘って設けられ、ユーザにより網状物５を充填材３の中から取り出す持ち手となる紙片である。なお、持ち手部４は、上述のように紙片からなるものに限らず、網状物５を充填材３の中から取出すことができる持ち手となるものであればよく、例えば、プラスチック片からなるものや、網状物５を束ね持ち手とするものであってもよい。また、持ち手部４は、網状物５の一対の端辺５ａ、５ａの全長に亘って設けられる必要はなく、網状物５の持ち手となる端辺５ａ、５ａの位置が認識できる目印となるものであってもよい。
【００１８】
続いて、上述のような構成を有する活き甲殻類用の包装容器１の包装方法について説明する。図２に示すように、容器本体２内に充填材３を充填させ（ステップＳＴ１）、その充填材３に網状物５を、持ち手部４を除いて埋没させる（ステップＳＴ２）。その後、充填材３に埋没された網状物５に包まれる位置に活き甲殻類１０を配置させ（ステップＳＴ３）、容器本体２の開閉蓋２ａを閉塞することにより、包装を完了する。
【００１９】
このような包装方法により包装された活き甲殻類１０は、充填材３から容器本体２の開閉蓋２ａ近傍に臨まされた一対の持ち手部４、４を掴み、網状物５を充填材３から引き上げることにより、充填材３から取り出すことができる。また、充填材３から取出された活き甲殻類１０は、網状物５を介して保持しており、直接触れることなく充填材３から取出せるとともに、網状物５の網目から活き甲殻類１０に付着した充填材３を振るい落とすことができ、さらに、活き甲殻類１０の突発的な動きによる充填材３の散らばりを防ぐことができる。
【００２０】
なお、包装容器１の包装方法は、上述のように充填材３を初めに完全に充填することに限らず、網状物５及び活き甲殻類１０を埋没させやすいように、適宜段階に分けて充填材３を充填させるようにしてもよい。
【００２１】
また、包装容器１は、活き甲殻類１０を包むように網状物５を配設したことについて述べたが、これに限らず、例えば、網状物により完全に包み込んだ状態で、充填材３に埋没させるようにしてもよい。
【００２２】
具体的には、包装容器１の網状物５の代わりに、図３に示すような網状物１１を用いるようにする。なお、包装容器１と同様の機能を有するものには、同様の符号を付し、その説明を省略する。網状物１１は、図３に示すように、充填材３は通過させることができるが、活き甲殻類１０は通過させることができない大きさの網目からなる可撓性を有する網で、全体の形状が略矩形であり、容器本体２の底面２ｂよりやや大きい形状からなる。網状物１１は、一方の相対向する一対の端辺１１ａ、１１ｂに持ち手部４が設けられている。また、網状物１１は、他方の相対向する一対の端辺１１ｃ、１１ｄに、それぞれ端辺１１ｃ、１１ｄ同士を係止するための係止部１２、１３が設けられている。
【００２３】
係止部１２、１３は、それぞれ、網状物１１の端辺１１ｃ、１１ｄの所定の長さに亘って設けられる棒状部材１２ａ、１３ａと、この棒状部材１２ａ、１３ａの略中央に立設される係止片１２ｂ、１３ｂとから構成されている。
【００２４】
網状物１１は、図４に示すように、端辺１１ｃ、１１ｄに設けられる棒状部材１２ａ、１３ａ同士を隣接させ、係止片１２ｂ、１３ｂを捻らせ係止することにより、端辺１１ｃ、１１ｄ同士を係止させ、活き甲殻類１０を完全に包み込む。このような状態の網状物１１及び網状物１１に包み込まれた活き甲殻類１０を充填材３に埋没させる。
【００２５】
なお、包装容器１は、上述のような網状物１１により活き甲殻類１０を完全に包み込んだ状態で充填材３に埋没させることに限らず、完全に包み込んだ状態であれば、いかなる形態であってもよく、例えば、図５に示すような網状物２０であってもよい。図５に示す網状物２０は、網状物５、１１と同様に、充填材３は通過させることができるが、活き甲殻類１０は通過させることができない大きさの網目からなる可撓性を有する網で、全体の形状が略矩形であり、容器本体２の底面２ｂよりやや大きい形状からなる。網状物２０は、一方の相対向する一対の端辺２０ａ、２０ｂに持ち手部４が設けられている。また、網状物２０は、少なくとも他方の相対向する一対の端辺２０ｃ、２０ｄを束ね、活き甲殻類１０を完全に包み込みようにする紐２１が設けられている。
【００２６】
紐２１は、例えば、網状物２０と同様の材質からなる紐状物であり、少なくとも端辺２０ｃ、２０ｄを含む、網状物２０の周縁近傍に亘って、網状物２０の網目に編み込まれている。
【００２７】
網状物２０は、図６に示すように、紐２１を引っ張り、端辺２０ｃ、２０ｄを束ねることにより、端辺２０ｃ、２０ｄ同士を係止させ、活き甲殻類１０を完全に包み込む。このような状態の網状物２０及び網状物２０に包み込まれた活き甲殻類１０を充填材３に埋没させる。
【００２８】
以上のように構成された網状物１１、２０を用いることにより、持ち手部４、４を掴み、網状物１１、２０を充填材３から引き上げることにより、充填材３から取出すことができる。また、充填材３から取出された活き甲殻類１０は、網状物１１、２０を介して保持しており、直接触れることなく充填材３から取り出せるとともに、網状物１１、２０の網目から活き甲殻類１０に付着した充填材３を振るい落とすことができ、さらに、活き甲殻類１０の突発的な動きによる充填材３の散らばりや、網状物１１、２０から飛び出ることを防ぐことができる。
【００２９】
なお、包装容器１は、上述のように、１つの容器本体２に対し、網状物５、１１、２０を１つ設けることについて述べたが、これに限らず、内包される活き甲殻類１０の数や、容器本体２の大きさ、形状に対応して複数個の網状物５、１１、２０を設け、個体ごとに活き甲殻類１０を取出せるようにしてもよい。
【図面の簡単な説明】
【００３０】
【図１】（Ａ）は、本発明に係る活き甲殻類用包装容器を示す一部破断斜視図であり、（Ｂ）は、（Ａ）のｘ−ｘ´線における断面図であり、（Ｃ）は、（Ａ）のｙ−ｙ´線における断面図である。
【図２】本発明に係る活き甲殻類用の包装容器を用いて、活き甲殻類を包装する包装方法を示す模式図である。
【図３】網状物の他の実施の形態を示した斜視図である。
【図４】網状物の相対向する端辺に設けられた係止部同士を係止させた様子を示した斜視図である。
【図５】網状物の他の実施の形態を示した斜視図である。
【図６】網状物に設けられた紐を用いて相対向する端辺を束ねた様子を示した斜視図である。
【符号の説明】
【００３１】
１  包装容器、２  容器本体、３  充填材、４  持ち手部、５、１１、２０  網状物、１０  活き甲殻類、１２、１３  係止部、２１  紐
【図１】
2007161304.tif 000003
【図２】
2007161304.tif 000004
【図３】
2007161304.tif 000005
【図４】
2007161304.tif 000006
【図５】
2007161304.tif 000007
【図６】
2007161304.tif 000008